(57)【要約】      （修正有）【課題】骨材置場においてリアルタイムな測定を行うことができ、大量の骨材運搬、測定のために母体への郵送を避け、運搬時間を大幅に節約できる移動式実験室を提供する。【解決手段】移動式実験室は輸送自動車上に設けられ、箱型コンテナを含み、箱型コンテナ内に物品保管区域及び実験区域が設けられ、物品保管区域と実験区域が互いに平行に設けられ、かつ物品保管区域と実験区域との間に活動区域が形成され、物品保管区域及び実験区域の内部に均しく複数の保管棚１４が設けられ、実験区域内にも複数の実験機材１５が設けられる。【選択図】図１
0003229844.tif 000002
【実用新案登録請求の範囲】
【請求項１】
輸送自動車上に設けられ、箱型コンテナ（１）を含む移動式実験室であって、前記箱型コンテナ（１）内に物品保管区域（１１）及び実験区域（１２）が設けられ、前記物品保管区域（１１）と前記実験区域（１２）が互いに平行に設けられ、かつ前記物品保管区域（１１）と前記実験区域（１２）との間に活動区域（１３）が形成され；前記物品保管区域（１１）及び前記実験区域（１２）の内部に均しく複数の保管棚（１４）が設けられ、前記実験区域（１２）内にも複数の実験機材（１５）が設けられ；
前記実験区域（１２）の床にスライドレール（２１）、スライダ（２２）及び緊結金具（２３）が設けられ、前記スライダ（２２）は、前記スライドレール（２１）上に摺動可能に連結され、前記緊結金具（２３）が前記スライダ（２２）上に連結され、かつ前記緊結金具（２３）の一端が前記スライダ（２２）を挿通すると共に前記スライドレール（２１）上に螺着され；
実験区域（１２）における前記スライドレール（２１）の一側に昇降機構（３）が設けられ、前記昇降機構（３）は、台座(３０)、第１昇降支柱(３１)、第２昇降支柱(３２)、支持板(３３)、昇降シリンダー(３４)、支持用ボールねじ(５１)、ロックナット(５２)、横板(５３)、縦板(５４)、固定ネジ(５５)及び押え板(５６)を含み、前記第１昇降支柱(３１)と前記第２昇降支柱(３２)は互いにヒンジ結合され、前記台座(３０)と前記支持板(３３)が互いに平行に設けられ、前記第１昇降支柱(３１)の上下両端及び前記第２昇降支柱(３２)の上下両端がいずれも前記支持板(３３)及び前記台座(３０)上にヒンジ結合され、前記昇降シリンダー(３４)が前記台座(３０)上にヒンジ結合され、かつ前記昇降シリンダー(３４)のシリンダー軸が前記第１昇降支柱(３１)とヒンジ結合され；
複数の前記支持用ボールねじ(５１)は、前記支持板(３３)上に挿設され、前記ロックナット(５２)が前記支持用ボールねじ(５１)上に螺合され、また前記支持用ボールねじ(５１)を前記支持板(３３)に固定し、前記横板(５３)が前記支持用ボールねじ(５１)の頂端に固結され、前記縦板(５４)が前記横板(５３)上に固結され、前記押え板(５６)が前記横板(５３)上に摺動可能に連結され、前記固定ネジ(５５)が前記縦板(５４)上に螺合し、かつ前記固定ネジ（５５）の一端が押え板（５６）上に当接する、
ことを特徴とする、移動式実験室。
【請求項２】
前記押え板(５６)は、摺動板部(５６１)とゴム部(５６２)とを含み、前記ゴム部(５６２)が前記摺動板部(５６１)上に固結され、前記摺動板部(５６１)の底端にスライダが設けられ、前記横板(５３)上に摺動溝が設けられ、スライダが摺動溝内に摺動可能に設けられることを特徴とする、請求項１に記載の移動式実験室。
【請求項３】
前記支持用ボールねじ（５１）上に制限段部（５１１）が設けられることを特徴とする、請求項１に記載の移動式実験室。
【請求項４】
前記横板（５３）と前記支持用ボールねじ（５１）との間に補強リブ（５７）が設けられることを特徴とする、請求項１に記載の移動式実験室。
【請求項５】
前記支持板（３３）上に複数の固定孔（３３１）が均一に分布されることを特徴とする、請求項１に記載の移動式実験室。
【請求項６】
前記物品保管区域（１１）の壁に空調（６１）が設けられ、前記実験区域（１２）内に流し台（６２）及び水栓（６３）が設けられることを特徴とする、請求項１に記載の移動式実験室。
【請求項７】
前記箱型コンテナ（１）内の活動区域（１３）の上方に照明器具が設けられ、前記箱型コンテナ（１）の側壁に排気ファンが設けられることを特徴とする、請求項１に記載の移動式実験室。
【請求項８】
前記箱型コンテナ（１）の底壁上に油圧支持脚（４）が設けられることを特徴とする、請求項１に記載の移動式実験室。
【請求項９】
前記箱型コンテナ（１）に発電機を設けることを特徴とする、請求項１に記載の移動式実験室。
【考案の詳細な説明】
【技術分野】
【０００１】
本考案は、移動式実験室に関する。
【背景技術】
【０００２】
道路の施工過程において、施工過程中に使用するアスファルト、骨材、アスファルト合材、セメント、コンクリート等の材料に対し巡視検査、品質管理、抜取検査・測定作業を行う必要がある。従来の手法は、作業員を通じて現場で測定対象の試料を採取してから実験室に送付して測定し、試料採取及び試料送付の過程にかかる時間が比較的長く、試験・測定の進捗に影響を及ぼす。
【考案の概要】
【考案が解決しようとする課題】
【０００３】
本考案は、上記従来技術に存在する問題点を解決するため、移動式実験室を提供する。
【課題を解決するための手段】
【０００４】
本考案が用いられる技術的解決策としては、移動式実験室であって、前記実験室は輸送自動車上に設けられ、箱型コンテナを含み、前記箱型コンテナ内に物品保管区域及び実験区域が設けられ、物品保管区域と実験区域が互いに平行に設けられ、かつ物品保管区域と実験区域との間に活動区域が形成され；前記物品保管区域及び実験区域の内部に均しく複数の保管棚が設けられ、実験区域内にも複数の実験機材が設けられ；
実験区域の床にスライドレール、スライダ及び緊結金具が設けられ、スライダは、スライドレール上に摺動可能に連結され、緊結金具がスライダ上に連結され、かつ緊結金具の一端がスライダを挿通すると共にスライドレール上に螺着され；
実験区域におけるスライドレールの一側に昇降機構が設けられ、前記昇降機構は、台座、第１昇降支柱、第２昇降支柱、支持板、昇降シリンダー、支持用ボールねじ、ロックナット、横板、縦板、固定ネジ及び押え板を含み、第１昇降支柱と第２昇降支柱は互いにヒンジ結合され、台座と支持板が互いに平行に設けられ、第１昇降支柱の上下両端及び第２昇降支柱の上下両端がいずれも支持板及び台座上にヒンジ結合され、昇降シリンダーが台座上にヒンジ結合され、かつ昇降シリンダーのシリンダー軸が第１昇降支柱とヒンジ結合され；
複数の支持用ボールねじは、支持板上に挿設され、ロックナットが支持用ボールねじ上に螺合され、また支持用ボールねじを支持板に固定し、横板が支持用ボールねじの頂端に固結され、縦板が横板上に固結され、押え板が横板上に摺動可能に連結され、固定ネジが縦板上に螺合し、かつ固定ネジの一端が押え板上に当接する。
【０００５】
さらに、前記押え板は、摺動板部とゴム部とを含み、ゴム部が摺動板部上に固結され、摺動板部の底端にスライダが設けられ、横板上に摺動溝が設けられ、スライダが摺動溝内に摺動可能に設けられる。
【０００６】
さらに、前記支持用ボールねじ上に制限段部が設けられる。
【０００７】
さらに、前記横板と支持用ボールねじとの間に補強リブが設けられる。
【０００８】
さらに、前記支持板上には、複数の固定孔が均一に分布される。
【０００９】
さらに、前記物品保管区域の壁に空調が設けられ；実験区域内に流し台及び水栓が設けられる。
【００１０】
さらに、前記箱型コンテナ内の活動区域の上方に照明器具が設けられ；箱型コンテナの側壁に排気ファンが設けられる。
【００１１】
さらに、前記箱型コンテナの底壁に油圧支持脚が設けられる。
【００１２】
さらに、前記箱型コンテナに発電機を設ける。
【考案の効果】
【００１３】
１）本考案は、骨材置場においてリアルタイムな測定を行うことができ、大量の骨材運搬、測定のために母体への郵送を避け、運搬時間を大幅に節約でき、測定データが迅速に現場に届けられて、現場の施工を指導できる。
【００１４】
２）骨材置場の準備段階において、移動実験車を通じて不定期的に施工者の後工程試料採取現場で測定し、施工者の採取した試料入替を防止でき；
【００１５】
３）施工期間において、移動実験車は、後工程及び前工程において機動的に抜取検査でき、測定結果も材料の品質の合否に十分反映させ、リアルタイムで発見した問題をその場で解決できるため、施工の現場品質を確実に保証でき；
【００１６】
４）現場実験室に代替することができ、設備を一つの場所に置くだけで、どのような試験を行なおうとした際、フォークリフトで運搬して入れるだけでよく、機器設備等を保管するため、大量の建屋を賃借する必要がない。
【図面の簡単な説明】
【００１７】
【図１】本考案の移動式実験室の内部構造を示す模式図である。
【図２】本考案の移動式実験室の内部構造上面図である。
【図３】本考案の移動式実験室の外部構造を示す模式図である。
【図４】本考案の移動式実験室内の昇降機構の構造を示す模式図である。
【図５】図４の昇降機構内の押え板が固定ネジ上にある際の構造を示す模式図である。
【図６】図４の昇降機構内の支持板の構造を示す模式図である。
【考案を実施するための形態】
【００１８】
以下に、添付図面を基に本考案を詳細に説明する。
【００１９】
図１乃至図３に示すように、本考案の移動式実験室であって、実験室は輸送自動車上に設けられ、箱型コンテナ１を含み、箱型コンテナ１内に物品保管区域１１及び実験区域１２が設けられ、物品保管区域１１と実験区域１２が互いに平行に設けられ、かつ物品保管区域１１と実験区域１２との間に活動区域１３が形成される。物品保管区域１１及び実験区域１２内部に均しく複数の保管棚１４が設けられ、実験区域１２内の保管棚１４上に複数の実験機材１５が設けられる。
【００２０】
実験機材を配置する際、一部の実験機器で実験する時、生じる振動が大きく、箱型コンテナ１内に置くと、その実験機器が移動してしまいため、実験機器の損傷を招いてしまう。動作時振動が比較的大きな実験機器を固定するため、実験区域１２の床にスライドレール２１、スライダ２２及び緊結金具２３が設けられ、スライダ２２は、スライドレール２１上に摺動可能に連結され、緊結金具２３がスライダ２２上に連結され、かつ緊結金具２３の一端がスライダ２２を挿通すると共にスライドレール２１上に螺着される。緊結金具を通じて、上記実験機器をスライダ２２上に固定させ、スライダ２２の位置も調整でき、様々規格の実験機器に適用できる。
【００２１】
図４乃至図６を参照すると、実験区域１２におけるスライドレール２１の一側に昇降機構３が設けられ、昇降機構３は、台座３０、第１昇降支柱３１、第２昇降支柱３２、支持板３３、昇降シリンダー３４、支持用ボールねじ５１、ロックナット５２、横板５３、縦板５４、固定ネジ５５及び押え板５６を含み、第１昇降支柱３１と第２昇降支柱３２は互いにヒンジ結合され、台座３０と支持板３３が互いに平行に設けられ、第１昇降支柱３１の上下両端及び第２昇降支柱３２の上下両端がいずれも支持板３３及び台座３０上にヒンジ結合され、昇降シリンダー３４が台座３０上にヒンジ結合され、かつ昇降シリンダー３４のシリンダー軸が第１昇降支柱３１とヒンジ結合される。台座３０はネジで箱型コンテナ１の底面に固定される。４本の支持用ボールねじ５１は、支持板３３上に挿設され、ロックナット５２が支持用ボールねじ５１上に螺合され、また支持用ボールねじ５１を支持板３３に固定し、横板５３が支持用ボールねじ５１の頂端に固結され、縦板５４が横板５３上に固結され、押え板５６が横板５３上に摺動可能に連結され、固定ネジ５５が縦板５４上に螺合し、かつ固定ネジ５５の一端が縦板５４を挿通すると共に押え板５６上に当接する。
【００２２】
押え板５６は、摺動板部５６１とゴム部５６２とを含み、ゴム部５６２が摺動板部５６１上に固結され、摺動板部５６１の底端にスライダが設けられ、横板５３上に摺動溝が設けられ、スライダが摺動溝内に摺動可能に設けられる。
【００２３】
支持用ボールねじ５１上に制限段部５１１が設けられ、支持用ボールねじ５１は支持板３３上に挿設され、制限段部５１１及びロックナット５２は支持板３３の上下両側に配置され、ロックナット５２を締め付けて支持用ボールねじ５１を支持板３３上に固定される。
【００２４】
横板５３の支持の安定性を保証するため、横板５３と支持用ボールねじ５１との間に補強リブ５７が設けられる。
【００２５】
支持板３３上に複数の固定孔３３１が均一に分布され、固定孔３３１は、支持板３３周囲に沿って軸方向に分布され、支持用ボールねじ５１が固定孔３３１内に挿設される。
【００２６】
一部の実験機材の使用時、保管棚１４上に置くと高すぎて、操作に不便で、箱型コンテナ１の床に置くと低すぎるため、このような実験機器に対し、直接昇降機構３に置かれ、昇降機構３を昇降することで実験機器を最適な作業位置に調整する。
【００２７】
実験機器を昇降機構３に置いた時、機器動作時の振動による移動を防止するため、固定ネジ５５を回すことによって押え板５６を機器の外壁に当接させ、従って機器の位置を固定する。固定ネジ５５の支持板３３における位置は、調整可能（位置の異なる固定孔３３１への挿入を通じる）で、押え板５６の横板５３における位置も調整可能で、従って様々寸法の異なる実験機器を固定でき、適用性が幅広い。
【００２８】
押え板５６内のゴム部５６２は、実験機器が損傷されるのを防止でき、かつゴムパッドにも一定のアイソレーション効果がある。
【００２９】
物品保管区域１１の壁に空調６１が設けられ、空調６１は、箱型コンテナ１内の温度を調節できる。
【００３０】
実験区域１２内に流し台６２及び水栓６３が設けられる。
【００３１】
箱型コンテナ１内の活動区域１３の上方に照明器具が設けられる。
【００３２】
箱型コンテナ１の側壁に排気ファンが設けられることで、箱型コンテナ１内の空気を流通できる。
【００３３】
実験室において、箱型コンテナの安定性を保証するため、箱型コンテナ１の底壁上に油圧支持脚４が設けられ、実験により大きい振動が発生した時、油圧支持脚４を伸出して地面上で支持させることで、箱型コンテナの安定性を保証する。
【００３４】
箱型コンテナ１に発電機を設けており、屋外で使用する時、より一層便利である。
【００３５】
本考案の移動式実験室は、専用の分析計を搭載して原材料のパラメータの測定能力を実現し、パラメータにはアスファルト、骨材、アスファルト合材、セメント、コンクリート等の材料がカバーされる。
【００３６】
本考案では好ましい実施例を前述の通り開示したが、これらは決して本考案に限定するものではなく、当該技術を熟知する者なら誰でも、本考案の原理を脱しない範囲内で各種の変動や潤色を加えることができ、従って本考案の保護範囲に網羅することを見なされる。
【図１】
0003229844.tif 000003
【図２】
0003229844.tif 000004
【図３】
0003229844.tif 000005
【図４】
0003229844.tif 000006
【図５】
0003229844.tif 000007
【図６】
0003229844.tif 000008